(57)【要約】【課題】傾斜磁場の印加条件をチューニングするためのプログラミングにかかる負担を軽減することができる磁気共鳴イメージング装置を提供する。【解決手段】実施形態に係る磁気共鳴イメージング装置は、記憶部と、生成部とを備える。記憶部は、撮像に関する制御の手順を示すシーケンスの構造を、当該シーケンスを構成する時系列上の複数の構成要素であって、少なくとも一つのチューニング対象の構成要素を含んだ複数の構成要素と、当該複数の構成要素のうちの少なくとも一つの構成要素の繰り返しとで定義した情報を記憶する。生成部は、前記記憶部に記憶された情報を読み出し、読み出した情報に含まれるチューニング対象の構成要素における傾斜磁場の印加条件を当該傾斜磁場に関するモーメント条件に応じてチューニングして、前記シーケンスを実行するための実行データを生成する。【選択図】図１
2015144633.tif 000002
【特許請求の範囲】
【請求項１】
撮像に関する制御の手順を示すシーケンスの構造を、当該シーケンスを構成する時系列上の複数の構成要素であって、少なくとも一つのチューニング対象の構成要素を含んだ複数の構成要素と、当該複数の構成要素のうちの少なくとも一つの構成要素の繰り返しとで定義した情報を記憶する記憶部と、
前記記憶部に記憶された情報を読み出し、読み出した情報に含まれるチューニング対象の構成要素における傾斜磁場の印加条件を当該傾斜磁場に関するモーメント条件に応じてチューニングして、前記シーケンスを実行するための実行データを生成する生成部と
を備えたことを特徴とする磁気共鳴イメージング装置。
【請求項２】
前記生成部は、撮像条件に基づいて前記モーメント条件を設定し、設定した条件に応じて前記傾斜磁場の印加条件をチューニングして、前記実行データを生成することを特徴とする請求項１に記載の磁気共鳴イメージング装置。
【請求項３】
前記記憶部は、前記シーケンスの構造を定義した情報をシーケンスの種類ごとに記憶し、
前記生成部は、撮像条件として設定されたシーケンスの種類に対応する情報を前記記憶部から読み出して、前記実行データを生成する
ことを特徴とする請求項１又は２に記載の磁気共鳴イメージング装置。
【請求項４】
前記記憶部は、前記チューニング対象の構成要素をチューニングする際のチューニング方法を定義した情報をチューニング対象の構成要素ごとにさらに記憶し、
前記生成部は、前記チューニング対象の構成要素に対応するチューニング方法を用いて前記傾斜磁場の印加条件をチューニングして、前記実行データを生成する
ことを特徴とする請求項１、２又は３に記載の磁気共鳴イメージング装置。
【請求項５】
前記記憶部は、傾斜磁場のモーメントを所定の値に設定する時系列上の区間として、少なくとも一つのチューニング対象の構成要素を含んだ時系列上の区間をチューニング対象の区間として定義した情報をさらに記憶し、
前記生成部は、前記チューニング対象の区間で印加される傾斜磁場のモーメントが前記所定の値となるように当該傾斜磁場の印加条件をチューニングして、前記実行データを生成する
ことを特徴とする請求項１〜４のいずれか一つに記載の磁気共鳴イメージング装置。
【請求項６】
前記記憶部は、傾斜磁場のモーメントを同じ値に設定するグループとして、少なくとも一つのチューニング対象の区間を含んだグループを定義した情報をさらに記憶し、
前記生成部は、前記グループに含まれる各区間で印加される傾斜磁場のモーメントが同じ値となるように当該傾斜磁場の印加条件をチューニングして、前記実行データを生成する
ことを特徴とする請求項５に記載の磁気共鳴イメージング装置。
【請求項７】
前記記憶部は、撮像の目的に応じてチューニング対象の区間の組み合わせを変えた少なくとも一つのグループを含むパターンを定義した情報をさらに記憶し、
前記生成部は、前記パターンに含まれるグループのうち撮像の目的に応じたグループを用いて、前記実行データを生成する
ことを特徴とする請求項６に記載の磁気共鳴イメージング装置。
【請求項８】
前記傾斜磁場の印加条件は、傾斜磁場の波高値又は継続時間に関する条件であることを特徴とする請求項１〜７のいずれか一つに記載の磁気共鳴イメージング装置。
【請求項９】
前記記憶部は、前記シーケンスが前記傾斜磁場のモーメントをゼロにするフローコンペンセーションを伴うものであった場合に、前記チューニング対象の構成要素の数を増加させる方法を前記チューニング方法として定義した情報を記憶することを特徴とする請求項４に記載の磁気共鳴イメージング装置。
【請求項１０】
前記記憶部は、所定の閾値を超える長さのエコー時間が撮像条件として設定された場合に、前記エコー時間に応じた長さの時間だけ前記チューニング対象の構成要素の継続時間を伸長させる方法を前記チューニング方法として定義した情報を記憶することを特徴とする請求項４に記載の磁気共鳴イメージング装置。
【請求項１１】
前記記憶部は、前記シーケンスが前記傾斜磁場のモーメントをゼロにするフローコンペンセーションを伴うものであり、かつ、所定の閾値を超える長さのエコー時間が撮像条件として設定された場合に、前記チューニング対象の構成要素の数を増加させるとともに、前記エコー時間に応じた長さの時間を所定の比率で各構成要素に配分して各構成要素の継続時間を伸長させる方法を前記チューニング方法として定義した情報を記憶することを特徴とする請求項４に記載の磁気共鳴イメージング装置。
【請求項１２】
前記記憶部は、所定の閾値を超える長さのエコー時間が撮像条件として設定された場合に、傾斜磁場の変化が伴わない時間を前記チューニング対象の構成要素に挿入する方法を前記チューニング方法として定義した情報を記憶することを特徴とする請求項４に記載の磁気共鳴イメージング装置。
【請求項１３】
前記生成部は、前記傾斜磁場の印加条件をチューニングする際に、当該傾斜磁場の波形における磁場強度が立ち上がる部分と磁場強度が一定となる部分とからなる区間で磁場強度の波高値を積分することで、前記モーメントを計算することを特徴とする請求項１〜１２のいずれか一つに記載の磁気共鳴イメージング装置。
【請求項１４】
前記生成部は、前記傾斜磁場の印加条件をチューニングする際に、励起用のＲＦパルスの波形における中心からエコー信号が収集される際に印加されるリードアウト方向の傾斜磁場の波形の中心までの区間で印加される傾斜磁場の磁場強度を積分することで、前記モーメントを計算することを特徴とする請求項１〜１３のいずれか一つに記載の磁気共鳴イメージング装置。
【請求項１５】
操作者から受け付けた操作に応じて、前記記憶部によって記憶された情報を編集する編集部をさらに備えたことを特徴とする請求項１〜１４のいずれか一つに記載の磁気共鳴イメージング装置。
【発明の詳細な説明】
【技術分野】
【０００１】
本発明の実施形態は、磁気共鳴イメージング装置に関する。
【背景技術】
【０００２】
従来、磁気共鳴イメージング装置は、静磁場中に置かれた被検体にＲＦ（Radio  Frequency）パルスを印加し、それにより被検体内の水素原子核から放射される磁気共鳴信号を検出して画像を再構成する。かかる磁気共鳴イメージング装置は、ＲＦパルスの強さや波形、ＲＦパルスを印加するタイミング、傾斜磁場を印加するタイミング、磁気共鳴信号を検出するタイミングなど、撮像の手順を定義したシーケンスに基づいて撮像を行う。このシーケンスは、一般的に、磁気共鳴イメージング装置が有する各種ハードウェアを制御するための制御命令と、その制御命令の繰り返しとで定義されることから、Ｃ言語などのプログラミング言語を用いたプログラミングによって実現される。
【０００３】
ここで、磁気共鳴イメージング装置による撮像では、撮像条件に応じて、シーケンスに含まれる任意の区間について、傾斜磁場の０次及び１次のモーメントの一方又は両方を所定の値に設定する場合がある。このように、シーケンスに含まれる任意の区間についてモーメントに関する条件が設定される場合には、その条件を満たすように、あらかじめ傾斜磁場の印加条件をチューニングするためのプログラミングが行われる。
【先行技術文献】
【特許文献】
【０００４】
【特許文献１】特開２００７−１３５６９３号公報
【発明の概要】
【発明が解決しようとする課題】
【０００５】
本発明が解決しようとする課題は、傾斜磁場の印加条件をチューニングするためのプログラミングにかかる負担を軽減することができる磁気共鳴イメージング装置を提供することである。
【課題を解決するための手段】
【０００６】
実施形態に係る磁気共鳴イメージング（ＭＲＩ：Magnetic  Resonance  Imaging）装置は、記憶部と、生成部とを備える。記憶部は、撮像に関する制御の手順を示すシーケンスの構造を、当該シーケンスを構成する時系列上の複数の構成要素であって、少なくとも一つのチューニング対象の構成要素を含んだ複数の構成要素と、当該複数の構成要素のうちの少なくとも一つの構成要素の繰り返しとで定義した情報を記憶する。生成部は、前記記憶部に記憶された情報を読み出し、読み出した情報に含まれるチューニング対象の構成要素における傾斜磁場の印加条件を当該傾斜磁場に関するモーメント条件に応じてチューニングして、前記シーケンスを実行するための実行データを生成する。
【図面の簡単な説明】
【０００７】
【図１】図１は、本実施形態に係るＭＲＩ装置の構成例を示す図である。
【図２】図２は、本実施形態に係るＭＲＩ装置の詳細な構成例を示す図である。
【図３】図３は、本実施形態に係る定義情報記憶部によって記憶される情報及びシーケンス生成部によって行われる処理を説明するための図（１）である。
【図４】図４は、本実施形態に係る定義情報記憶部によって記憶される情報及びシーケンス生成部によって行われる処理を説明するための図（２）である。
【図５】図５は、本実施形態に係る定義情報記憶部によって記憶される情報及びシーケンス生成部によって行われる処理を説明するための図（３）である。
【図６】図６は、本実施形態に係る定義情報記憶部によって記憶される情報及びシーケンス生成部によって行われる処理を説明するための図（４）である。
【図７】図７は、本実施形態に係る定義情報記憶部によって記憶される情報及びシーケンス生成部によって行われる処理を説明するための図（５）である。
【図８】図８は、本実施形態に係る定義情報記憶部によって記憶される情報及びシーケンス生成部によって行われる処理を説明するための図（６）である。
【図９】図９は、本実施形態に係る定義情報記憶部によって記憶される情報及びシーケンス生成部によって行われる処理を説明するための図（７）である。
【図１０】図１０は、本実施形態に係る定義情報記憶部によって記憶される情報及びシーケンス生成部によって行われる処理を説明するための図（８）である。
【図１１】図１１は、本実施形態に係る定義情報記憶部によって記憶される情報及びシーケンス生成部によって行われる処理を説明するための図（９）である。
【図１２】図１２は、本実施形態に係る定義情報記憶部によって記憶される情報及びシーケンス生成部によって行われる処理を説明するための図（１０）である。
【図１３】図１３は、本実施形態に係る定義情報記憶部によって記憶される情報及びシーケンス生成部によって行われる処理を説明するための図（１１）である。
【図１４】図１４は、本実施形態に係る定義情報記憶部によって記憶される情報及びシーケンス生成部によって行われる処理を説明するための図（１２）である。
【図１５】図１５は、本実施形態に係るＭＲＩ装置による撮像の流れを示すフローチャートである。
【発明を実施するための形態】
【０００８】
以下に、図面に基づいて、ＭＲＩ装置の実施形態を詳細に説明する。図１は、本実施形態に係るＭＲＩ装置の構成例を示す図である。例えば、図１に示すように、このＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０、及び計算機システム２０を備える。
【０００９】
静磁場磁石１は、中空の円筒形状に形成された磁石であり、内部の空間に一様な静磁場を発生する。この静磁場磁石１としては、例えば永久磁石、超伝導磁石等が使用される。
【００１０】
傾斜磁場コイル２は、中空の円筒形状に形成されたコイルであり、静磁場磁石１の内側に配置される。この傾斜磁場コイル２は、互いに直交するｘ，ｙ，ｚの各軸に対応する３つのコイルが組み合わされて形成されており、これら３つのコイルは、後述する傾斜磁場電源３から個別に電流供給を受けて、ｘ，ｙ，ｚの各軸に沿って磁場強度が変化する傾斜磁場を発生させる。なお、ｚ軸方向は、静磁場と同方向とする。傾斜磁場電源３は、傾斜磁場コイル２に電流を供給する。
【００１１】
ここで、傾斜磁場コイル２によって発生するｘ，ｙ，ｚの各軸の傾斜磁場は、例えば、スライス選択用傾斜磁場Ｇｓｓ、位相エンコード用傾斜磁場Ｇｐｅ及びリードアウト用傾斜磁場Ｇｒｏにそれぞれ対応する。スライス選択用傾斜磁場Ｇｓｓは、任意に断面を決めるために利用される。位相エンコード用傾斜磁場Ｇｐｅは、空間的位置に応じて磁気共鳴信号の位相を変化させるために利用される。リードアウト用傾斜磁場Ｇｒｏは、空間的位置に応じて磁気共鳴信号の周波数を変化させるために利用される。
【００１２】
寝台４は、被検体Ｐが載置される天板４ａを備え、後述する寝台制御部５による制御のもと、被検体Ｐが載置された状態で天板４ａを傾斜磁場コイル２の空洞（撮像口）内へ挿入する。通常、この寝台４は、長手方向が静磁場磁石１の中心軸と平行になるように設置される。寝台制御部５は、制御部２６による制御のもと、寝台４を制御する装置であり、寝台４を駆動して、天板４ａを長手方向及び上下方向へ移動する。
【００１３】
送信ＲＦコイル６は、傾斜磁場コイル２の内側に配置され、送信部７から供給される高周波パルス電流によりＲＦ（Radio  Frequency）パルス（高周波磁場パルス）を発生する。送信部７は、ラーモア周波数に対応する高周波パルス電流を送信ＲＦコイル６に供給する。受信ＲＦコイル８は、傾斜磁場コイル２の内側に配置され、上記のＲＦパルスの影響によって被検体Ｐから放射される磁気共鳴信号を受信する。この受信ＲＦコイル８は、磁気共鳴信号を受信すると、その磁気共鳴信号を受信部９へ出力する。
【００１４】
受信部９は、受信ＲＦコイル８から出力される磁気共鳴信号に基づいて磁気共鳴（Magnetic  Resonance：ＭＲ）信号データを生成する。この受信部９は、受信ＲＦコイル８から出力される磁気共鳴信号をデジタル変換することによってＭＲ信号データを生成する。このＭＲ信号データには、前述したスライス選択用傾斜磁場Ｇｓｓ、位相エンコード用傾斜磁場Ｇｐｅ及びリードアウト用傾斜磁場Ｇｒｏによって、位相エンコード（Phase  Encode：ＰＥ）方向、リードアウト（Read  Out：ＲＯ）方向、スライス選択（Slice  Selection：ＳＳ）方向の空間周波数の情報が対応付けられてｋ空間に配置される。そして、ＭＲ信号データを生成すると、受信部９は、そのＭＲ信号データをシーケンス制御部１０へ送信する。
【００１５】
シーケンス制御部１０は、計算機システム２０から送信されるシーケンス実行データに基づいて、傾斜磁場電源３、送信部７及び受信部９を駆動することによって、被検体Ｐのスキャンを実行する。ここで、シーケンス実行データとは、傾斜磁場電源３が傾斜磁場コイル２に供給する電源の強さや電源を供給するタイミング、送信部７が送信ＲＦコイル６に送信するＲＦ信号の強さやＲＦ信号を送信するタイミング、受信部９が磁気共鳴信号を検出するタイミングなど、被検体Ｐのスキャンを実行するための手順を示すシーケンス（パルスシーケンスとも呼ばれる）を定義した情報である。なお、シーケンス制御部１０は、シーケンス実行データに基づいて傾斜磁場電源３、送信部７及び受信部９を駆動した後に、受信部９からＭＲ信号データが送信されると、そのＭＲ信号データを計算機システム２０へ転送する。
【００１６】
計算機システム２０は、ＭＲＩ装置１００の全体制御を行う。例えば、計算機システム２０は、ＭＲＩ装置１００が有する各部を駆動することで、被検体Ｐのスキャンや画像再構成などを行う。この計算機システム２０は、インタフェース部２１、画像再構成部２２、記憶部２３、操作部２４、表示部２５及び制御部２６を有する。
【００１７】
インタフェース部２１は、シーケンス制御部１０との間で授受される各種信号の入出力を制御する。例えば、このインタフェース部２１は、シーケンス制御部１０に対してシーケンス実行データを送信し、シーケンス制御部１０からＭＲ信号データを受信する。ＭＲ信号データを受信すると、インタフェース部２１は、各ＭＲ信号データを被検体Ｐごとに記憶部２３に格納する。
【００１８】
画像再構成部２２は、記憶部２３によって記憶されたＭＲ信号データに対して、後処理、すなわちフーリエ変換等の再構成処理を施すことによって、被検体Ｐ内における所望核スピンのスペクトラムデータ又は画像データを生成する。また、画像再構成部２２は、生成したスペクトラムデータ又は画像データを被検体Ｐごとに記憶部２３に格納する。
【００１９】
記憶部２３は、後述する制御部２６によって実行される処理に必要な各種データや各種プログラムなどを記憶する。例えば、記憶部２３は、インタフェース部２１によって受信されたＭＲ信号データや、画像再構成部２２によって生成されたスペクトラムデータや画像データなどを、被検体Ｐごとに記憶する。この記憶部２３は、例えば、ＲＡＭ（Random  Access  Memory）、ＲＯＭ（Read  Only  Memory）、フラッシュメモリ（flash  memory）などの半導体メモリ素子や、ハードディスク、光ディスクなどの記憶装置である。
【００２０】
操作部２４は、操作者からの各種指示や情報入力を受け付ける。この操作部２４としては、マウスやトラックボールなどのポインティングデバイス、モード切替スイッチ等の選択デバイス、あるいはキーボード等の入力デバイスを適宜に利用可能である。
【００２１】
表示部２５は、制御部２６による制御のもと、スペクトラムデータあるいは画像データ等の各種の情報を表示する。この表示部２５としては、液晶表示器などの表示デバイスを利用可能である。
【００２２】
制御部２６は、図示していないＣＰＵ（Central  Processing  Unit）やメモリ等を有し、ＭＲＩ装置１００の全体制御を行う。この制御部２６は、例えば、操作部２４を介して操作者から入力される撮像条件に基づいて各種のシーケンス実行データを生成し、生成したシーケンス実行データをシーケンス制御部１０に送信することによってスキャンを制御する。また、制御部２６は、スキャンの結果としてシーケンス制御部１０からＭＲ信号データが送られた場合に、そのＭＲ信号データに基づいて画像を再構成するよう画像再構成部２２を制御する。
【００２３】
以上、本実施形態に係るＭＲＩ装置１００の構成について説明した。このような構成のもと、本実施形態に係るＭＲＩ装置１００では、記憶部２３が、撮像に関する制御の手順を示すシーケンスの構造を、当該シーケンスを構成する時系列上の複数の構成要素であって、少なくとも一つのチューニング対象の構成要素を含んだ複数の構成要素と、当該複数の構成要素のうちの少なくとも一つの構成要素の繰り返しとで定義した情報を記憶する。また、制御部２６が、記憶部２３に記憶された情報を読み出し、読み出した情報に含まれるチューニング対象の構成要素における傾斜磁場の印加条件を当該傾斜磁場に関するモーメント条件に応じてチューニングして、シーケンスを実行するためのシーケンス実行データを生成する。
【００２４】
従来、ＭＲＩ装置による撮像では、撮像条件に応じて、シーケンスに含まれる任意の区間について、傾斜磁場の０次モーメント又は１次モーメントをゼロ又は所定の値に設定する場合がある。このように、シーケンスに含まれる任意の区間についてモーメントに関する条件が設定される場合には、その条件を満たすように、あらかじめ傾斜磁場の印加条件をチューニングするためのプログラミングが行われる。しかし、このプログラミングは、シーケンスに含まれる様々な要件を考慮して行われるため複雑であり、プログラミングの作業者の負担が大きかった。
【００２５】
これに対し、本実施形態に係るＭＲＩ装置１００では、記憶部２３に記憶されている情報に基づいて、チューニング対象の構成要素における傾斜磁場の印加条件が自動的にチューニングされる。したがって、あらかじめモーメントに関する条件を満たすようにプログラミングが行われる際のプログラミング量を減らすことができ、傾斜磁場の印加条件をチューニングするためのプログラミングにかかる負担を軽減することができる。
【００２６】
以下、本実施形態に係るＭＲＩ装置１００について詳細に説明する。図２は、本実施形態に係るＭＲＩ装置１００の詳細な構成例を示す図である。図２では、図１に示した計算機システム２０が有する各部のうち、インタフェース部２１、記憶部２３、操作部２４、表示部２５、及び制御部２６を示している。
【００２７】
例えば、図２に示すように、記憶部２３は、定義情報記憶部２３ａと、シーケンス実行データ記憶部２３ｂとを有する。また、例えば、図２に示すように、制御部２６は、撮像条件受付部２６ａと、シーケンス生成部２６ｂと、シーケンス実行部２６ｃと、定義情報編集部２６ｄとを有する。
【００２８】
定義情報記憶部２３ａは、撮像に関する制御の手順を示すシーケンスの構造を、当該シーケンスを構成する時系列上の複数の構成要素であって、少なくとも一つのチューニング対象の構成要素を含んだ複数の構成要素と、当該複数の構成要素のうちの少なくとも一つの構成要素の繰り返しとで定義した情報を記憶する。
【００２９】
なお、本実施形態では、シーケンスを構成する時系列上の構成要素を「ステート」と呼び、ステートの連なりを「セグメント」と呼ぶ。また、チューニング対象のステートを「チューンステート」と呼ぶ。ここで、ステートは、撮像時に動作するハードウェアを制御する処理の単位であり、ハードウェアを制御するための制御命令と処理の継続期間とで表される。また、セグメントの繰り返しを「ループ」と呼び、セグメントとループとの組み合わせでシーケンスの構造を定義した情報を「リンクコマンド」と呼ぶ。
【００３０】
また、定義情報記憶部２３ａは、シーケンスの構造を定義した情報をシーケンスの種類ごとに記憶する。本実施形態では、定義情報記憶部２３ａは、リンクコマンドをシーケンスの種類ごとに記憶する。
【００３１】
また、定義情報記憶部２３ａは、チューニング対象の構成要素をチューニングする際のチューニング方法を定義した情報をチューニング対象の構成要素ごとにさらに記憶する。なお、本実施形態では、チューニング対象のステートであるチューンステートをチューニングする際のチューニング方法を定義した情報を「チューンセグメント」と呼ぶ。
【００３２】
また、定義情報記憶部２３ａは、傾斜磁場のモーメントを所定の値に設定する時系列上の区間として、少なくとも一つのチューニング対象の構成要素を含んだ時系列上の区間をチューニング対象の区間として定義した情報をさらに記憶する。なお、本実施形態では、傾斜磁場のモーメントを所定の値に設定する時系列上の区間であって、チューンステートを含んだチューニング対象の区間を「レンジ」と呼ぶ。
【００３３】
また、定義情報記憶部２３ａは、傾斜磁場のモーメントを同じ値に設定するグループとして、少なくとも一つのチューニング対象の区間を含んだグループを定義した情報をさらに記憶する。なお、本実施形態では、傾斜磁場のモーメントを同じ値に設定するレンジのグループを「ターゲット」と呼ぶ。
【００３４】
また、定義情報記憶部２３ａは、撮像の目的に応じてチューニング対象の区間の組み合わせを変えた少なくとも一つのグループを含むパターンを定義した情報をさらに記憶する。なお、本実施形態では、撮像の目的に応じてレンジの組み合わせを変えたターゲットを含むパターンを「スコープ」と呼ぶ。
【００３５】
また、定義情報記憶部２３ａによって記憶される情報は、例えば、ＲＡＭ、ＲＯＭ、フラッシュメモリなどの半導体メモリ素子や、ハードディスク、光ディスクなどの記憶装置に外部ファイルとして記憶される。また、定義情報記憶部２３ａによって記憶される情報は、例えば、ｘｍｌ（Extensible  Markup  Language）などの言語を用いて記述され、ｘｍｌファイルとして記憶される。また、定義情報記憶部２３ａによって記憶される情報は、１つのファイルにまとめられて記憶されともよいし、情報の内容に応じて、適宜、複数のファイルに分割されて記憶されてもよい。
【００３６】
なお、定義情報記憶部２３ａによって記憶される情報については、後に例を挙げて詳細に説明する。
【００３７】
シーケンス実行データ記憶部２３ｂは、撮像に関する制御の手順を定義したシーケンスを実行するためのシーケンス実行データを記憶する。このシーケンス実行データ記憶部２３ｂによって記憶されるシーケンス実行データは、後述するシーケンス生成部２６ｂによって生成される。
【００３８】
撮像条件受付部２６ａは、操作部２４を介して、操作者から撮像条件の入力を受け付ける。ここで、撮像条件には、撮像の目的、シーケンスの種類、繰り返し時間（ＴＲ：repetition  time）、エコー時間（ＴＥ：echo  time）、加算平均回数（ＮＡＱ：number  of  acquisition）、撮像領域（ＦＯＶ：Field  Of  View）、スライス厚、スライス間隔、スライス枚数、マトリクス数、ＲＦパルスのフリップアングル（ＦＡ：Flip  Angle）などが含まれる。
【００３９】
なお、ここでいう撮像の目的は、例えば、撮像部位や撮像方法などである。また、ここでいうシーケンスの種類には、フローコンペンセーションの有無も含まれる。フローコンペンセーションを伴う撮像では、例えば、リードアウト方向やスライス選択方向の傾斜磁場における０次及び１次のモーメントをゼロにするＧＭＮ（Gradient  Moment  Nulling）が行われる。これにより、撮像対象に含まれる流体の運動によって生じる位相ずれを補正することができ、撮像対象に含まれる流れ成分の描出能を高めることができる。
【００４０】
シーケンス生成部２６ｂは、定義情報記憶部２３ａによって記憶された情報を読み出し、読み出した情報に含まれるチューニング対象の構成要素における傾斜磁場の印加条件を当該傾斜磁場に関するモーメント条件に応じてチューニングして、シーケンスを実行するためのシーケンス実行データを生成する。
【００４１】
具体的には、シーケンス生成部２６ｂは、撮像条件受付部２６ａによって受け付けられた撮像条件に基づいてモーメント条件を設定し、設定した条件に応じて傾斜磁場の印加条件をチューニングしてシーケンス実行データを生成する。そして、シーケンス生成部２６ｂは、生成したシーケンス実行データをシーケンス実行データ記憶部２３ｂに格納する。
【００４２】
例えば、シーケンス生成部２６ｂは、撮像条件として設定されたＦＯＶ及びマトリクス数から位相エンコード方向に段階的に印加される各傾斜磁場のエンコード量を求め、求めたエンコード量に対応する０次のモーメントが設定されるように、各傾斜磁場の印加条件をチューニングする。また、例えば、シーケンス生成部２６ｂは、撮像条件としてフローコンペンセーションを伴うシーケンスの種類が設定された場合には、チューニング対象の区間におけるリードアウト方向やスライス選択方向の傾斜磁場の０次及び１次のモーメントがゼロになるように、各傾斜磁場の印加条件をチューニングする。また、例えば、シーケンス生成部２６ｂは、撮像条件として設定されたＴＥに基づいて、チューニング対象の区間における傾斜磁場の波高値又は継続時間を変更する。
【００４３】
このとき、シーケンス生成部２６ｂは、撮像条件として設定されたシーケンスの種類に対応する情報を定義情報記憶部２３ａから読み出して、シーケンス実行データを生成する。本実施形態では、シーケンス生成部２６ｂは、撮像条件として設定されたシーケンスの種類に対応するリンクコマンドを定義情報記憶部２３ａから読みだして、シーケンス実行データを生成する。
【００４４】
また、シーケンス生成部２６ｂは、チューニング対象の構成要素に対応するチューニング方法を用いて傾斜磁場の印加条件をチューニングして、シーケンス実行データを生成する。本実施形態では、シーケンス生成部２６ｂは、チューニング対象のステートであるチューンステートに対応するチューンセグメントに基づいて、当該チューンセグメントで定義されたチューニング方法を用いて傾斜磁場の印加条件をチューニングして、シーケンス実行データを生成する。
【００４５】
また、シーケンス生成部２６ｂは、チューニング対象の区間で印加される傾斜磁場のモーメントが所定の値となるように当該傾斜磁場の印加条件をチューニングして、シーケンス実行データを生成する。本実施形態では、シーケンス生成部２６ｂは、チューニング対象の区間であるレンジに基づいて、当該レンジで印加される傾斜磁場のモーメントが所定の値となるように当該傾斜磁場の印加条件をチューニングして、シーケンス実行データを生成する。
【００４６】
また、シーケンス生成部２６ｂは、グループに含まれる各区間で印加される傾斜磁場のモーメントが同じ値となるように当該傾斜磁場の印加条件をチューニングして、シーケンス実行データを生成する。本実施形態では、シーケンス生成部２６ｂは、傾斜磁場を同じ値に設定するグループであるターゲットに基づいて、当該ターゲットに含まれる各レンジで印加される傾斜磁場が同じ値となるように、各傾斜磁場の印加条件をチューニングして、シーケンス実行データを生成する。
【００４７】
また、シーケンス生成部２６ｂは、撮像の目的に応じてチューニング対象の区間の組み合わせを変えた少なくとも一つのグループを含むパターンに含まれるグループのうち撮像の目的に応じたパターンを用いて、シーケンス実行データを生成する。本実施形態では、シーケンス生成部２６ｂは、撮像の目的に応じてレンジの組み合わせを変えたターゲットを含むスコープに基づいて、当該スコープに含まれるターゲットのうち撮像の目的に応じたターゲットを用いて、シーケンス実行データを生成する。
【００４８】
なお、シーケンス生成部２６ｂによって行われる処理については、後に例を挙げて詳細に説明する。
【００４９】
シーケンス実行部２６ｃは、シーケンス生成部２６ｂによって生成されたシーケンス実行データに基づいて、撮像を実行する。具体的には、シーケンス実行部２６ｃは、シーケンス生成部２６ｂによってシーケンス実行データが生成されると、生成されたシーケンス実行データをシーケンス実行データ記憶部２３ｂから読み出す。そして、シーケンス実行部２６ｃ、インタフェース部２１を介して、当該シーケンス実行データをシーケンス制御部１０に送信することによって、撮像を実行する。
【００５０】
定義情報編集部２６ｄは、操作者から受け付けた操作に応じて、定義情報記憶部２３ａによって記憶された情報を編集する。具体的には、定義情報編集部２６ｄは、操作部２４を介して、定義情報記憶部２３ａによって記憶された情報を変更する操作や、定義情報記憶部２３ａによって記憶された情報を削除する操作、定義情報記憶部２３ａに新たな情報を登録する操作などを受け付ける。そして、定義情報編集部２６ｄは、操作者から受け付けた操作に基づいて、定義情報記憶部２３ａに記憶された情報を更新する。
【００５１】
次に、本実施形態に係る定義情報記憶部２３ａによって記憶される情報及びシーケンス生成部２６ｂによって行われる処理ついて詳細に説明する。図３〜１４は、本実施形態に係る定義情報記憶部２３ａによって記憶される情報及びシーケンス生成部２６ｂによって行われる処理を説明するための図である。
【００５２】
例えば、本実施形態に係るＭＲＩ装置１００は、図３に示すシーケンスに基づいて撮像を行う。図３において、横軸は時間を示している。また、ＲＦ／Ｅｃｈｏは、ＲＦパルスとエコー信号とを示しており、ＳＳは、スライス選択方向における傾斜磁場の磁場強度及び継続期間を示しており、ＰＥは、位相エンコード方向における傾斜磁場の磁場強度及び継続期間を示している。また、ＲＯは、リードアウト方向における傾斜磁場の磁場強度及び継続期間を示しており、ＡＤＣは、エコー信号の検出期間を示している。
【００５３】
例えば、定義情報記憶部２３ａは、図３に示すシーケンスについて、「Ｅ１」と「Ｅ２」とを、それぞれセグメントとして定義した情報を記憶する。ここで、例えば、Ｅ１には、ステートとして、「ｅｘｉｔｅ」と、「ｔｕｎｅ０」と、「ｒｅｆｏｃｕｓ０」と、「ｐｅＴｉｍｅ」と、「ｓｈｏｗ０」と、「ｐｅ２」とが含まれる。また、例えば、Ｅ２は、ステートとして、「ｒｅｆｏｃｕｓ１」と、「ｐｅ３Ｔｉｍｅ」と、「ｓｈｏｗ１」と、「ｐｅ４」とが含まれる。そして、例えば、Ｅ１に含まれるステートのうち、ｔｕｎｅ０と、ｐｅＴｉｍｅと、ｐｅ２とが、それぞれチューンステートとして定義される。また、例えば、Ｅ２に含まれるステートのうち、ｐｅ３Ｔｉｍｅと、ｐｅ４とが、それぞれチューンステートとして定義される。
【００５４】
また、定義情報記憶部２３ａは、チューンステートであるｔｕｎｅ０、ｐｅＴｉｍｅ、ｐｅ２、ｐｅ３Ｔｉｍｅ及びｐｅ４それぞれについて、各チューンステートをチューニングする際のチューニング方法を定義したチューンセグメントを記憶する。なお、このチューンセグメントについては、後に例を挙げて詳細に説明する。
【００５５】
そして、例えば、定義情報記憶部２３ａは、Ｅ１と、Ｅ２を複数回繰り返すループとの組み合わせによって定義されるシーケンスの構造を表すリンクコマンドを記憶する。
【００５６】
この場合に、例えば、図４に示すように、定義情報記憶部２３ａは、ｅｘｃｉｔｅとｓｈｏｗ０との間の区間であり、チューンステートとしてｔｕｎｅ０を含んだ区間を、第１のレンジＲ１として定義した情報を記憶する。また、例えば、定義情報記憶部２３ａは、ｓｈｏｗ０と１回目のＥ２に含まれるｓｈｏｗ１との間の区間であり、チューンステートとしてｐｅ２を含んだ区間を、第２のレンジＲ２として定義した情報を記憶する。
【００５７】
また、例えば、定義情報記憶部２３ａは、１回目のＥ２に含まれるｓｈｏｗ１と２回目のＥ２に含まれるｓｈｏｗ１との間の区間であり、チューンステートとして１回目のＥ２におけるｐｅ４を含んだ区間を、第３のレンジＲ３として定義した情報を記憶する。なお、第３のレンジは、ｎ回目（ｎ：自然数）のＥ２に含まれるｓｈｏｗ１と（ｎ＋１）回目のＥ２に含まれるｓｈｏｗ１との間の区間であり、チューンステートとしてｎ回目のＥ２におけるｐｅ４を含んだ区間を表すものとして定義される。
【００５８】
さらに、例えば、定義情報記憶部２３ａは、第１のレンジＲ１、第２のレンジＲ２、及び、第３のレンジＲ３を含むターゲットを定義した情報を記憶する。例えば、定義情報記憶部２３ａは、第１のレンジＲ１、第２のレンジＲ２及び第３のレンジＲ３それぞれにおける傾斜磁場の０次及び１次の両方のモーメントをゼロとするターゲットを定義した情報を記憶する。
【００５９】
ここで、図５に示すように、第１のレンジＲ１に含まれるチューンステートであるｔｕｎｅ０には、スライス選択方向の傾斜磁場５１と、リードアウト方向の傾斜磁場５２とが含まれている。
【００６０】
したがって、この場合には、シーケンス生成部２６ｂは、第１のレンジＲ１に含まれるスライス選択方向の傾斜磁場５１及びリードアウト方向の傾斜磁場５２のそれぞれについて、０次及び１次の両方のモーメントがゼロとなるように印加条件をチューニングする。
【００６１】
なお、例えば、シーケンス生成部２６ｂは、ここで説明した第１のレンジＲ１のように、ＲＦパルスの印加を含むセグメントとエコー信号の検出期間との間に設定されたレンジについて傾斜磁場の印加条件をチューニングする際には、励起用のＲＦパルス５３の波形の中心から、エコー信号５４が検出される際に印加されるリードアウト方向の傾斜磁場５５の波形の中心までの区間で印加される傾斜磁場の磁場強度を積分することで、０次及び１次の両方のモーメントを計算する。
【００６２】
また、図６に示すように、第２のレンジＲ２に含まれるチューンステートであるｐｅ２には、位相エンコード方向の傾斜磁場６１が含まれている。また、第３のレンジＲ３に含まれるチューンステートであるｐｅ４には、位相エンコード方向の傾斜磁場６２が含まれている。
【００６３】
したがって、この場合には、シーケンス生成部２６ｂは、第２のレンジの区間に含まれるスライス選択方向の傾斜磁場６１、及び、第３のレンジの区間に含まれるスライス選択方向の傾斜磁場６２のそれぞれについて、０次及び１次の両方のモーメントがゼロとなるように、スライス選択方向の傾斜磁場６２の印加条件をチューニングする。
【００６４】
また、例えば、定義情報記憶部２３ａは、Ｅ１と、Ｅ２を複数回繰り返すループとを組み合わせ、その組み合わせを複数回繰り返すループによって定義されるシーケンスの構造を表すリンクコマンドを記憶する。
【００６５】
この場合に、例えば、図７に示すように、定義情報記憶部２３ａは、ｒｅｆｏｃｕｓ０とｓｈｏｗ０との間の区間であり、チューンステートとしてｐｅＴｉｍｅを含んだ区間を、第４のレンジＲ４として定義した情報を記憶する。また、定義情報記憶部２３ａは、ｒｅｆｏｃｕｓ１とｓｈｏｗ１との間の区間であり、チューンステートとしてｐｅ３Ｔｉｍｅを含んだ区間を、第５のレンジＲ５として定義した情報を記憶する。
【００６６】
さらに、例えば、定義情報記憶部２３ａは、第４のレンジＲ４を含むターゲットと、第５のレンジＲ５を含むターゲットとを、それぞれ定義した情報を記憶する。例えば、定義情報記憶部２３ａは、第４のレンジＲ４における傾斜磁場の０次のモーメントを第１の値とするターゲットと、第５のレンジＲ５における傾斜磁場の０次のモーメントを第２の値とするターゲットとをそれぞれ定義した情報を記憶する。
【００６７】
ここで、図８に示すように、第４のレンジＲ４に含まれるチューンステートであるｐｅＴｉｍｅには、位相エンコード方向の傾斜磁場８１が含まれている。また、第５のレンジＲ５に含まれるチューンステートであるｐｅ３Ｔｉｍｅには、位相エンコード方向の傾斜磁場８２が含まれている。
【００６８】
したがって、この場合には、シーケンス生成部２６ｂは、第４のレンジＲ４に含まれるスライス選択方向の傾斜磁場８１について、０次のモーメントが第１の値となるように印加条件をチューニングする。また、シーケンス生成部２６ｂは、第５のレンジＲ５に含まれるスライス選択方向の傾斜磁場８２について、０次のモーメントが第２の値となるように印加条件をチューニングする。
【００６９】
このとき、例えば、シーケンス生成部２６ｂは、撮像条件に基づいて、第１の値及び第２の値をそれぞれ設定する。例えば、シーケンス生成部２６ｂは、撮像条件として設定されたＦＯＶ及びマトリクス数から位相エンコード方向に段階的に印加される各傾斜磁場のエンコード量を求め、求めたエンコード量のうちの２つの値をそれぞれ第１の値及び第２の値として設定する。
【００７０】
なお、シーケンス生成部２６ｂは、定義情報記憶部２３ａによって複数のスコープが定義されている場合には、複数のスコープのうち、撮像条件として設定された撮像の目的に応じたスコープに含まれるターゲットに基づいて、傾斜磁場の印加条件をチューニングする。
【００７１】
また、シーケンス生成部２６ｂは、傾斜磁場の印加条件をチューニングする際には、傾斜磁場の波形に基づいてモーメントを計算し、モーメント条件を満たすように、傾斜磁場の波高値又は継続時間を変更する。
【００７２】
ここで、通常、ＭＲＩ装置１００で印加される傾斜磁場の波形は、ハードウェアの特性により完全な矩形とはならず、台形状となる。例えば、図９に示すように、傾斜磁場の波形は、傾斜磁場が立ち上がる部分９１と、磁場強度が一定となる部分９２と、磁場強度が立ち下がる部分９３とから構成される。このことから、一般的に、磁場強度の積分で求められるモーメントは、磁場強度の波高値とは比例関係にならず、計算が複雑になる。
【００７３】
そこで、例えば、シーケンス生成部２６ｂは、傾斜磁場の印加条件をチューニングする際に、当該傾斜磁場の波形における磁場強度が上がる部分９１と磁場強度が一定となる部分９２とからなる区間Ｒで傾斜磁場の波高値Ｃを積分することで、傾斜磁場のモーメントを計算する。これにより、傾斜磁場のモーメントの計算が容易になる。
【００７４】
また、前述したように、シーケンス生成部２６ｂは、チューニング対象のステートであるチューンステートに対応するチューンセグメントに基づいて、当該チューンセグメントで定義されたチューニング方法を用いて傾斜磁場の印加条件をチューニングする。この場合に、定義情報記憶部２３ａは、チューニング方法を定義したチューンセグメントをチューンステートごとに記憶する。
【００７５】
例えば、定義情報記憶部２３ａは、シーケンスがフローコンペンセーションを伴うものであった場合のチューニング方法を定義したチューンセグメントを記憶する。前述したように、フローコンペンセーションを伴う撮像では、例えば、リードアウト方向やスライス選択方向における傾斜磁場の０次及び１次のモーメントをゼロにするＧＭＮが行われる。
【００７６】
例えば、リードアウト方向の傾斜磁場についてＧＭＮが行われる場合には、図１０に示すように、ＲＦパルス１０１の中心からエコー信号１０２のピークまでのＴＥの区間において、リードアウト方向の傾斜磁場に対してＧＭＮが行われる。例えば、図１０に示すように、エコー信号が検出される際に印加されるリードアウト方向の傾斜磁場のうちのＴＥの区間に含まれる傾斜磁場１０３の前に、２つの傾斜磁場１０４及び１０５が印加される。
【００７７】
ここで、傾斜磁場１０４は、傾斜磁場１０３と同じ極性を有しており、傾斜磁場１０５は、傾斜磁場１０３とは逆の極性を有している。さらに、傾斜磁場１０３の波形、傾斜磁場１０４の波形、及び、傾斜磁場１０５の波形は、それぞれの面積比が、１：２：１となるように設定される。このように傾斜磁場１０３、１０４及び１０５が印加されることで、ＴＥの区間におけるリードアウト方向の傾斜磁場の０次及び１次のモーメントがゼロになる。
【００７８】
この場合に、例えば、ＴＥの区間にチューンセグメントとして設定されているｔｕｎｅ０に含まれるリードアウト方向の傾斜磁場の印加条件が、０次及び１次のモーメントがゼロになるようにチューニングされる。具体的には、ｔｕｎｅ０において、互いに逆の極性を有する傾斜磁場１０４と傾斜磁場１０５とが印加される。そのため、ＴＥの区間における傾斜磁場についてＧＭＮを行うためには、１つのｔｕｎｅ０の中で、２つのステートが必要になる。
【００７９】
このことから、例えば、定義情報記憶部２３ａは、シーケンスが傾斜磁場のモーメントをゼロにするフローコンペンセーションを伴うものであった場合に、チューニング対象の構成要素の数を増加させる方法をチューニング方法として定義したチューンセグメントを記憶する。
【００８０】
この場合に、シーケンス生成部２６ｂは、例えば、図１１の（ａ）及び（ｂ）に示すように、チューンステートであるｔｕｎｅ０をｔｕｎｅ０ａ及びｔｕｎｅ０ｂの２つのチューンステートに置き換えることで、チューンステートを増加させる。このとき、例えば、ｔｕｎｅ０ａは、ｔｕｎｅ０と同じ継続時間とする。
【００８１】
また、例えば、定義情報記憶部２３ａは、撮像条件として設定されたＴＥに基づいて、チューニング対象の区間における傾斜磁場の波高値又は継続時間を変更する方法をチューニング方法として定義したチューンセグメントを記憶する。
【００８２】
例えば、定義情報記憶部２３ａは、所定の閾値を超える長さのエコー時間が撮像条件として設定された場合に、ＴＥに応じた長さの時間だけチューニング対象の構成要素の継続時間を伸長させる方法をチューニング方法として定義したチューンセグメントを記憶する。
【００８３】
この場合に、シーケンス生成部２６ｂは、例えば、図１１の（ｃ）に示すように、ＴＥに応じた長さ（図１１の（ｃ）に示す「ａｂｓｏｒｂ」）だけｔｕｎｅ０ａを伸長させる。または、シーケンス生成部２６ｂは、例えば、図１２の（ｃ）に示すように、ＴＥに応じた長さ（図１２の（ｃ）に示す「ａｂｓｏｒｂ」）だけｔｕｎｅ０ｂを伸長させる。このとき、ｔｕｎｅ０ａ及びｔｕｎｅ０ｂのどちらを伸長させるかは、このチューニング方法に関するチューンセグメントによって定義される。
【００８４】
さらに、例えば、定義情報記憶部２３ａは、シーケンスが傾斜磁場のモーメントをゼロにするフローコンペンセーションを伴うものであり、かつ、所定の閾値を超える長さのエコー時間が撮像条件として設定された場合に、チューニング対象の構成要素の数を増加させるとともに、エコー時間に応じた長さの時間を所定の比率で各構成要素に配分して各構成要素の継続時間を伸長させる方法をチューニング方法として定義したチューンセグメントを記憶する。
【００８５】
この場合に、シーケンス生成部２６ｂは、例えば、図１３の（ｃ）に示すように、ＴＥに応じた長さを所定の比率で２つに分け、ｔｕｎｅ０ａとｔｕｎｅ０ｂとに配分する。例えば、シーケンス生成部２６ｂは、ＴＥに応じた長さを所定の２：３の比率で２つに分け、２／５とした方の長さだけｔｕｎｅ０ａを伸長し、５／３とした長さだけｔｕｎｅ０ｂを伸長する。このとき、ＴＥに応じた長さを分けるための所定の比率は、このチューニング方法に関するチューンセグメントによって定義される。
【００８６】
また、例えば、定義情報記憶部２３ａは、所定の閾値を超える長さのエコー時間が撮像条件として設定された場合に、傾斜磁場の変化が伴わない時間をチューニング対象の構成要素に挿入する方法をチューニング方法として定義したチューンセグメントを記憶する。
【００８７】
この場合に、シーケンス生成部２６ｂは、例えば、図１４の（ｃ）に示すように、傾斜磁場の変化を伴わず、かつ、ＴＥに応じた長さの継続時間を有するステートであるｔｕｎｅ０ｔｅを、ｔｕｎｅ０ｂの後に挿入する。このとき、挿入されるステートの継続時間は、このチューニング方法に関するチューンセグメントによって定義される。
【００８８】
次に、本実施形態に係るＭＲＩ装置１００による撮像の流れについて説明する。図１５は、本実施形態に係るＭＲＩ装置１００による撮像の流れを示すフローチャートである。
【００８９】
例えば、図１５に示すように、本実施形態に係るＭＲＩ装置１００では、撮像条件受付部２６ａが、操作部２４を介して、操作者から撮像条件の入力を受け付ける（ステップＳ１０１）。また、撮像条件受付部２６ａは、撮像条件の入力を受け付けた後に（ステップＳ１０１，Ｙｅｓ）、操作者から撮像開始指示を受け付ける（ステップＳ１０２）。
【００９０】
続いて、シーケンス生成部２６ｂが、撮像条件受付部２６ａによって撮像開始時が受け付けられた後に（ステップＳ１０２，Ｙｅｓ）、撮像条件として設定されたシーケンスの種類に対応するリンクコマンドを定義情報記憶部２３ａから読み出す（ステップＳ１０３）。
【００９１】
また、シーケンス生成部２６ｂは、読み出したリンクコマンドに基づいて、リンクコマンドに含まれるセグメントのステートのうち、チューンステートとして定義されたステートにおける傾斜磁場の印加条件をチューニングして、シーケンス実行データを生成する（ステップＳ１０４）。
【００９２】
そして、シーケンス実行部２６ｃが、シーケンス生成部２６ｂによって生成されたシーケンス実行データに基づいて、撮像を実行する（ステップＳ１０５）。
【００９３】
上述したように、本実施形態に係るＭＲＩ装置１００では、定義情報記憶部２３ａに記憶されている情報に基づいて、チューニング対象の構成要素における傾斜磁場が自動的にチューニングされる。したがって、あらかじめモーメントに関する条件を満たすようにプログラミングが行われる際のプログラミング量を減らすことができ、傾斜磁場の印加条件をチューニングするためのプログラミングにかかる負担を軽減することができる。
【００９４】
また、本実施形態に係るＭＲＩ装置１００では、セグメントとループとを組み合わせたリンクコマンドによってシーケンスの構造が表され、さらに、スコープやターゲット、チューンステートなどによって、モーメント条件に応じたチューニングの構造が表されるので、シーケンスの構造やチューニングを簡易な表現で定義することができる。
【００９５】
以上説明した少なくとも１つの実施形態によれば、傾斜磁場の印加条件をチューニングするためのプログラミングにかかる負担を軽減することができる。
【００９６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９７】
１００  磁気共鳴イメージング（ＭＲＩ：Magnetic  Resonance  Imaging）装置
２０  計算機システム
２３  記憶部
２３ａ  定義情報記憶部
２６  制御部
２６ｂ  シーケンス生成部
【図１】
2015144633.tif 000003
【図２】
2015144633.tif 000004
【図３】
2015144633.tif 000005
【図４】
2015144633.tif 000006
【図５】
2015144633.tif 000007
【図６】
2015144633.tif 000008
【図７】
2015144633.tif 000009
【図８】
2015144633.tif 000010
【図９】
2015144633.tif 000011
【図１０】
2015144633.tif 000012
【図１１】
2015144633.tif 000013
【図１２】
2015144633.tif 000014
【図１３】
2015144633.tif 000015
【図１４】
2015144633.tif 000016
【図１５】
2015144633.tif 000017